(57)【要約】【課題】参考文書として適切な文書をリンクとして貼ることが出来る情報処理装置の提供。【解決手段】ユーザが参考に閲覧した参考文書のＵＲＬと、参考文書から抽出した重要語との組み合わせが格納された重要語ＤＢと、ユーザが作成したユーザ文書からＵＲＬを取得する文書情報取得部と、ユーザ文書からテキスト情報を抽出するテキスト情報抽出部と、テキスト情報から重要語を抽出する重要語抽出部と、重要語ＤＢに格納された、参考文書の重要語と、ユーザ文書の重要語とを照合し、ユーザ文書に含まれる重要語と同じ重要語が含まれている参考文書が有るか否かを判断する重要語照合部と、同じ重要語が含まれていると判断された参考文書とユーザ文書を比較し、一致率がしきい値以上である参考文書をリンクとして掲載すべき文書であると判断する一致率判断部と、リンクとして掲載すべきと判断された参考文書のリンクをユーザ文書内に挿入するリンク生成部を備える。【選択図】図１
2018169848.tif 000002
【特許請求の範囲】
【請求項１】
ユーザーが参考に閲覧した参考文書の文書名と、前記参考文書のドキュメントアドレスと、前記参考文書から抽出した重要語との組み合わせが格納された重要語データベースと、
ユーザーが作成または編集したユーザー文書から文書名およびドキュメントアドレスを取得する文書情報取得部と、
前記ユーザー文書からテキスト情報を抽出するテキスト情報抽出部と、
前記テキスト情報から重要語を抽出する重要語抽出部と、
前記重要語データベースに格納された、前記参考文書の重要語と、前記ユーザー文書の重要語とを照合し、前記ユーザー文書に含まれる重要語と同じ重要語が含まれている参考文書が有るか否かを判断する重要語照合部と、
同じ重要語が含まれていると判断された参考文書の内容と、前記ユーザー文書の内容とを比較して一致率を算出し、前記一致率がしきい値以上である参考文書をリンクとして掲載すべき文書であると判断する一致率判断部と、
リンクとして掲載すべきと判断された参考文書のリンクを生成し、生成した前記リンクを前記ユーザー文書内に挿入するリンク生成部と
を備えた
情報処理装置。
【請求項２】
請求項１に記載の情報処理装置であって、
前記文書情報取得部は、前記参考文書から文書名およびドキュメントアドレスを取得し、
前記テキスト情報抽出部は、前記参考文書からテキスト情報を抽出し、
前記重要語抽出部は、前記参考文書から抽出した前記テキスト情報から重要語を抽出し、
前記情報処理装置は、
前記参考文書から取得した文書名およびドキュメントアドレスならびに前記参考文書から抽出した前記テキスト情報から抽出した重要語を組み合わせて前記重要語データベースに格納する記録管理部をさらに備えた
情報処理装置。
【請求項３】
請求項１または２に記載の情報処理装置であって、
前記重要語抽出部は、重要語を抽出するとき、当該重要語の重要度を算出し、算出した前記重要度を抽出した重要語に付加する
情報処理装置。
【請求項４】
請求項１から３のいずれか１つに記載の情報処理装置であって、
前記ユーザー文書から文書の構成に関する情報を抽出する文書構成抽出部をさらに備え、
前記重要語抽出部は、重要語の抽出を、章単位で行う
情報処理装置。
【請求項５】
ユーザーが作成または編集したユーザー文書から文書名およびドキュメントアドレスを取得し、
前記ユーザー文書からテキスト情報を抽出し、
前記テキスト情報から重要語を抽出し、
ユーザーが参考に閲覧した参考文書の文書名と、前記参考文書のドキュメントアドレスと、前記参考文書から抽出した重要語との組み合わせが格納された重要語データベースに格納された、前記参考文書の重要語と、前記ユーザー文書の重要語とを照合し、前記ユーザー文書に含まれる重要語と同じ重要語が含まれている参考文書が有るか否かを判断し、
同じ重要語が含まれていると判断された参考文書の内容と、前記ユーザー文書の内容とを比較して一致率を算出し、前記一致率がしきい値以上である参考文書をリンクとして掲載すべき文書であると判断し、
リンクとして掲載すべきと判断された参考文書のリンクを生成し、生成した前記リンクを前記ユーザー文書内に挿入する
ことを情報処理装置が実行する情報処理方法。
【発明の詳細な説明】
【技術分野】
【０００１】
本発明は、作成または編集したドキュメントに参照情報を付加する情報処理装置および情報処理方法に関する。
【背景技術】
【０００２】
従来、作成した情報に関連する情報をハイパーリンク等によりリンク付けして参考情報も参照することにより情報をより深く理解するための工夫がなされてきた。
【０００３】
例えば、特許文献１において開示されている技術では、電子掲示板に掲載される記事をハイパーリンクで示すために、用語とその用語に関する情報が載ったＵＲＬ（Uniform Resource Locator）が組になった注目用語集を用いて、新たに電子掲示板に投稿された記事の中の用語を検索し、注目用語集に用語がある記事はＵＲＬをリンク先として参考情報の紐付けを行っている。
【０００４】
また、特許文献２の技術では、ユーザーが閲覧しているドキュメント（ソース・ドキュメント）に付けた注記事項に基づいて関連ドキュメント（ターゲット・ドキュメント）に対するリンクを作成する。
【０００５】
その際、数多く保持しているターゲット・ドキュメントをクラスタ化して典型的なドキュメントを選択した後、ユーザー指定の類似性しきい値（Similarity threshold）によりドキュメントをフィルタリングしリンクを張るドキュメントを選別している。
【先行技術文献】
【特許文献】
【０００６】
【特許文献１】特開２００１−２３６２７７号公報
【特許文献２】特開平１１−２４２５４９号公報
【発明の概要】
【発明が解決しようとする課題】
【０００７】
特許文献２の技術では、ユーザー指定の類似性しきい値によりドキュメントをフィルタリングしてからリンクを張っているが、適切なドキュメントをリンクとして貼れるとは限らなかった。
【０００８】
以上のような事情に鑑み、本発明の目的は、参考文書として適切な文書をリンクとして貼ることが出来る情報処理装置および情報処理方法を提供することにある。
【課題を解決するための手段】
【０００９】
上記目的を達成するため、本発明の一形態に係る情報処理装置は、ユーザーが参考に閲覧した参考文書の文書名と、前記参考文書のドキュメントアドレスと、前記参考文書から抽出した重要語との組み合わせが格納された重要語データベースと、ユーザーが作成または編集したユーザー文書から文書名およびドキュメントアドレスを取得する文書情報取得部と、前記ユーザー文書からテキスト情報を抽出するテキスト情報抽出部と、前記テキスト情報から重要語を抽出する重要語抽出部と、前記重要語データベースに格納された、前記参考文書の重要語と、前記ユーザー文書の重要語とを照合し、前記ユーザー文書に含まれる重要語と同じ重要語が含まれている参考文書が有るか否かを判断する重要語照合部と、同じ重要語が含まれていると判断された参考文書の内容と、前記ユーザー文書の内容とを比較して一致率を算出し、前記一致率がしきい値以上である参考文書をリンクとして掲載すべき文書であると判断する一致率判断部と、リンクとして掲載すべきと判断された参考文書のリンクを生成し、生成した前記リンクを前記ユーザー文書内に挿入するリンク生成部とを備える。
【００１０】
そのため、参考文書として適切な文書をリンクとして貼ることが出来る。
【００１１】
上記目的を達成するため、本発明の一形態に係る情報処理装置では、前記文書情報取得部は、前記参考文書から文書名およびドキュメントアドレスを取得し、前記テキスト情報抽出部は、前記参考文書からテキスト情報を抽出し、前記重要語抽出部は、前記参考文書から抽出した前記テキスト情報から重要語を抽出し、前記情報処理装置は、前記参考文書から取得した文書名およびドキュメントアドレスならびに前記参考文書から抽出した前記テキスト情報から抽出した重要語を組み合わせて前記重要語データベースに格納する記録管理部をさらに備えてもよい。
【００１２】
上記目的を達成するため、本発明の一形態に係る情報処理装置では、前記重要語抽出部は、重要語を抽出するとき、当該重要語の重要度を算出し、算出した前記重要度を抽出した重要語に付加する構成でもよい。
【００１３】
上記目的を達成するため、本発明の一形態に係る情報処理装置は、前記ユーザー文書から文書の構成に関する情報を抽出する文書構成抽出部をさらに備え、前記重要語抽出部は、重要語の抽出を、章単位で行う構成でもよい。
【００１４】
上記目的を達成するため、本発明の一形態に係る情報処理方法では、ユーザーが作成または編集したユーザー文書から文書名およびドキュメントアドレスを取得し、前記ユーザー文書からテキスト情報を抽出し、前記テキスト情報から重要語を抽出し、ユーザーが参考に閲覧した参考文書の文書名と、前記参考文書のドキュメントアドレスと、前記参考文書から抽出した重要語との組み合わせが格納された重要語データベースに格納された、前記参考文書の重要語と、前記ユーザー文書の重要語とを照合し、前記ユーザー文書に含まれる重要語と同じ重要語が含まれている参考文書が有るか否かを判断し、同じ重要語が含まれていると判断された参考文書の内容と、前記ユーザー文書の内容とを比較して一致率を算出し、前記一致率がしきい値以上である参考文書をリンクとして掲載すべき文書であると判断し、リンクとして掲載すべきと判断された参考文書のリンクを生成し、生成した前記リンクを前記ユーザー文書内に挿入することを情報処理装置が実行する。
【発明の効果】
【００１５】
以上のように、本発明によれば、参考文書として適切な文書をリンクとして貼ることが出来る。
【図面の簡単な説明】
【００１６】
【図１】概要として大まかな流れを説明するためのフローチャートである。
【図２】作成された文書にリンクを掲載するまでの具体例を説明する図である。
【図３】重要語ＤＢ１７ａの具体例を示す図である。
【図４】情報処理装置１０が一般的なコンピューターにより構成される場合の構成図である。
【図５】情報処理装置１０における処理のうち、参考文書を閲覧する際の詳細な処理の流れについて説明するためのフローチャートである。
【図６】情報処理装置１０における処理のうち、ユーザーが文書の作成または編集を行ってからリンクを掲載するまでの詳細な処理の流れについて説明するためのフローチャートである。
【発明を実施するための形態】
【００１７】
以下、図面を参照しながら、本発明の実施形態を説明する。
【００１８】
［概要］
最初に、概要を説明する。図１は、概要として大まかな流れを説明するためのフローチャートである。
【００１９】
まず、ユーザーがブラウザ、メーラーなどを用いて、文書作成にあたり参照する参考文書の閲覧を行う（ステップＳ１）。
【００２０】
次に、本発明の一実施形態に係る情報処理装置が閲覧された参考文書から重要語を抽出してデータベース（重要語ＤＢ）に格納する（ステップＳ２）。重要語の抽出方法は、ＴＦ−ＩＤＦ（Term Frequency- Inverse Document Frequency）法など公知の方法を用いればよい。
【００２１】
次に、ユーザーがワードプロセッサー等を用いて新規に文書（ユーザー文書）を作成する（ステップＳ３）。
【００２２】
次に、情報処理装置が作成された文書から重要語を抽出する（ステップＳ４）。
【００２３】
次に、情報処理装置が、前ステップで抽出された重要語と、重要語ＤＢ内に格納してある参考文書の重要語の照合を行う（ステップＳ５）。
【００２４】
次に、情報処理装置は、重要語が一致した参考文書と作成した文書の一致率を見る（ステップＳ６）。ここで文書の一致率を見るのは、重要語が同じであっただけでは偶然一致した場合を排除できないからである。なお、一致率は、文章全体での一致率をみてもよいし、章ごとの一致率を見てもよい。例えば、文書では章ごとにトピックが変わることがあるので、文章全体としての一致率は低くても、ある章に関しては一致率が高い場合は、その参考文書はリンクを張るのが適切であると言える。
【００２５】
次に、情報処理装置は、一致率の高い参考文書へのリンクを、作成した文書に載せる（ステップＳ７）。作成された文書の読者は、文書内に掲載されたリンクから参考文書を参照することにより、作成された文書の内容をより深く理解することが出来る。
【００２６】
以上、概要としての大まかな流れを説明した。
【００２７】
次に、作成された文書にリンクを掲載するまでの具体例を説明する。図２は、作成された文書にリンクを掲載するまでの具体例を説明する図である。
【００２８】
まず、図の左側にユーザーが作成した文書の例を示す。この文書では、第１章「背景」と、第２章「手法」の２つの章に分かれて記載がなされている。
【００２９】
次に、情報処理装置は、章ごとに重要語の抽出を行う。第１章では、「ＡＡＡ」、「市場展望」、「背景」などの単語が、第２章では、「手法」「ＪＪ」などの単語が重要語として抽出されている。
【００３０】
次に、作成された文書から抽出した重要語と、重要語ＤＢ内に登録された重要語との照合を行う。図の例では、第１章に含まれる重要語が一致した参考文書として「議事録１２１０」、「ＡＡＡ要求仕様書」、「ＲＥ：Ｃ社要求対応について」の３つの参考文書が挙がっている。
【００３１】
次に、情報処理装置は、参考文書として挙がった３つの文書と、作成された文書との一致率の検証を行う。図の例では、一致率がしきい値を超えた文書は、「ＡＡＡ要求仕様書」および「ＲＥ：Ｃ社要求対応について」の２つであったとする。
【００３２】
次に、作成された文書の各章、上の例では第１章に上記２つの参考文書「ＡＡＡ要求仕様書」および「ＲＥ：Ｃ社要求対応について」へのハイパーリンクを掲載する。なお、ここではハイパーリンクとする事によりユーザーがクリックして参考文書の内容を閲覧できるものとするが、この構成に限らず、一般的な文字情報として参考文書名を載せるだけでもよい。
【００３３】
以上、作成された文書にリンクを掲載するまでの具体例を説明した。
【００３４】
［重要語ＤＢについて］
次に、重要語ＤＢについて説明する。図３は、重要語ＤＢ１７ａの具体例を示す図である。
【００３５】
重要語ＤＢ１７ａには、項目として、例えば、「ドキュメント名」、「ドキュメントアドレス」、「文章構成」、「重要語（重要度）」の項目がある。「ドキュメント名」は、参考文書の名称（ファイル名）である。「ドキュメントアドレス」は、参考文書をハイパーリンクとして掲載するためのＵＲＬ（Uniform Resource Locator）である。「文章構成」は、章ごとに重要語を登録するための章の番号である。
【００３６】
「重要語」は、公知の方法により重要度が高い単語として抽出された文字列を示すものであり、括弧内に示された重要度は、各重要語が持つ重要度を示すものである。例えば、０から１までの値を持ち、重要度が高いほど高い値となる。
【００３７】
なお、重要度の算出は、章単位での単語の出現頻度による重み付け、係り受け関係による重み付け、連接情報による重み付け、文字サイズ、文字の修飾、インデントによる重み付け、章題、ファイル名等による重み付けなどにより行われてもよい。
【００３８】
なお、各重要語に振られた重要度は、重要語どうしの照合を行う際に指標として用いることが出来る。例えば、高い重要度を持つ重要語を含む参考文書と、低い重要度を持つ重要語を含む参考文書があった場合、リンクとして掲載する候補として、高い重要度を持つ重要語を含む参考文書のほうを選択することが出来る。
【００３９】
以上、重要語ＤＢ１７ａについて説明した。
【００４０】
［情報処理装置の構成］
次に、情報処理装置１０の構成について説明する。情報処理装置１０は、専用のハードウェアやソフトウェアにより構成されていてもよいし、一般的なコンピューターにより構成されてもよい。情報処理装置１０が一般的なコンピューターにより構成される場合の構成図を図４に示す。
【００４１】
同図に示すように、情報処理装置１０は、ＣＰＵ（Central Processing Unit）１１、ＲＯＭ（Read Only Memory）１２、ＲＡＭ（Random Access Memory）１３、操作入力部１４、通信部１５、表示部１６、および記憶部１７を有し、これら各ブロックがバス１８を介して接続されている。
【００４２】
ＲＯＭ１２は、各種の処理を実行するためのファームウェア等の複数のプログラムやデータを記憶する。ＲＡＭ１３は、ＣＰＵ１１の作業用領域として用いられ、ＯＳ（Operating System）、実行中の各種アプリケーション、処理中の各種データを一時的に保持する。
【００４３】
記憶部１７は、例えばＨＤＤ（Hard Disk Drive）や、フラッシュメモリー、その他の不揮発性メモリーである。記憶部１７には、ＯＳや各種アプリケーション、各種データ、上述した重要語ＤＢ（Database）１７ａが記憶される。
【００４４】
通信部１５は、ネットワーク上のＰＣ（Personal Computer）等と情報のやりとりを行う為のネットワークと結ばれている。
【００４５】
ＣＰＵ１１は、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６及び記憶部１７を適宜制御する。
【００４６】
操作入力部１４は、例えばマウス等のポインティングデバイス、キーボード、タッチパネル、その他の操作装置である。
【００４７】
表示部１６は、例えば液晶ディスプレイ、ＥＬ（Electro-Luminescence）ディスプレイ、プラズマディスプレイ等である。
【００４８】
次に、ＣＰＵ１１においてプログラムが実行されることにより実現される機能ブロックについて説明する。
【００４９】
情報処理装置１０のＣＰＵ１１において実現される機能ブロックは、文書情報取得部１１ａ、テキスト情報抽出部１１ｂ、文書構成抽出部１１ｃ、重要語抽出部１１ｄ、記録管理部１１ｅ、重要語照合部１１ｆ、一致率判断部１１ｇ、およびリンク生成部１１ｈである。
【００５０】
文書情報取得部１１ａは、ユーザーが閲覧した参考文書またはユーザーが作成した文書に関し、ファイル名（文書名）、ドキュメントアドレスなどの文書情報を取得する。なお取得した文書情報は、記録管理部１１ｅを通じて重要語ＤＢ１７ａに格納される。
【００５１】
テキスト情報抽出部１１ｂは、ユーザーが閲覧した参考文書またはユーザーが作成した文書からテキスト情報を抽出する。
【００５２】
文書構成抽出部１１ｃは、ユーザーが閲覧した参考文書またはユーザーが作成した文書から文書の構成に関する情報を抽出する。例えば、章ごとの区切り、見出し、インデントなどを用いて区切られた領域を認識する。
【００５３】
重要語抽出部１１ｄは、章単位など区切られた領域ごとに重要語を抽出する。抽出された重要語は、測定された重要度と共に、記録管理部１１ｅを通じて重要語ＤＢ１７ａに格納される。
【００５４】
記録管理部１１ｅは、ユーザーが閲覧した参考文書またはユーザーが作成した文書の文書情報、重要語などを重要語ＤＢ１７ａに格納したり、重要語照合部１１ｆからの要求により重要語ＤＢ１７ａの検索を行ったりする。
【００５５】
重要語照合部１１ｆは、重要語ＤＢ１７ａに格納された、ユーザーが閲覧した参考文書の重要語と、ユーザーが作成した文書の重要語とを照合し、作成した文書に含まれる重要語と同じ重要語が含まれている参考文書が有るか否かを判断する。
【００５６】
一致率判断部１１ｇは、同じ重要語が含まれていると判断された参考文書の内容と、ユーザーが作成した文書の内容とを比較し、一致率を算出し、一致率がしきい値以上である参考文書をリンクとして掲載すべき文書であると判断する。比較は文書全体どうしで行ってもよいし、章ごとに分けて行ってもよい。
【００５７】
リンク生成部１１ｈは、リンクとして掲載すべきと判断された参考文書のリンクを生成し、生成したリンクをユーザーが作成した文書内に挿入する。
【００５８】
以上、情報処理装置１０の構成について説明した。
【００５９】
［詳細な処理の流れ（参考文書の閲覧時）］
次に、情報処理装置１０における処理のうち、参考文書を閲覧した際の詳細な処理の流れについて説明する。図５は、情報処理装置１０における処理のうち、参考文書を閲覧した際の詳細な処理の流れについて説明するためのフローチャートである。
【００６０】
まず、ユーザーが、ブラウザ、メーラーなどを用いて参考文書を閲覧する（ステップＳ９）。
【００６１】
次に、文書情報取得部１１ａが、ユーザーにより閲覧された参考文書の文書情報を取得する（ステップＳ１０）。
【００６２】
次に、テキスト情報抽出部１１ｂが、ユーザーにより閲覧された参考文書からテキスト情報を抽出する（ステップＳ１１）。テキスト情報は、重要語を抽出するために用いられる。
【００６３】
次に、文書構成抽出部１１ｃが、ユーザーにより閲覧された参考文書から文書の構成に関する情報を抽出する（ステップＳ１２）。文書の構成に関する情報は、範囲を限定して重要語を抽出するために用いられる。
【００６４】
次に、全ての章に関して重要語の抽出が完了したか否かを判断する（ステップＳ１３）。
【００６５】
全ての章に関して重要語の抽出が完了していない場合（ステップＳ１３のＮｏ）、重要語抽出部１１ｄが、次に処理対象となる章に関し重要語の抽出を行う（ステップＳ１４）。
【００６６】
全ての章に関して重要語の抽出が完了している場合（ステップＳ１３のＹｅｓ）、次に、記録管理部１１ｅが、文書情報取得部１１ａにより取得された文書情報と、重要語抽出部１１ｄにより抽出された重要語を重要語ＤＢ１７ａに格納し、処理を終了する（ステップＳ１５）。
【００６７】
以上、情報処理装置１０における処理のうち、参考文書を閲覧する際の詳細な処理の流れについて説明した。
【００６８】
［詳細な処理の流れ（ユーザーによる文書作成後）］
次に、情報処理装置１０における処理のうち、ユーザーが文書の作成または編集を行ってからリンクを掲載するまでの詳細な処理の流れについて説明する。図６は、情報処理装置１０における処理のうち、ユーザーが文書の作成または編集を行ってからリンクを掲載するまでの詳細な処理の流れについて説明するためのフローチャートである。
【００６９】
まず、ユーザーがワードプロセッサーなどを用いて、文書の新規作成または既存文書の編集を行う（ステップＳ１９）。
【００７０】
次に、文書情報取得部１１ａが、ユーザーにより作成または編集された文書の文書情報を取得する（ステップＳ２０）。なお、ステップＳ２０以下の処理は、例えば、ユーザーが明示的に「リンク生成」ボタンを押した時に行われる構成でもよい。
【００７１】
次に、テキスト情報抽出部１１ｂが、ユーザーにより作成または編集された文書からテキスト情報を抽出する（ステップＳ２１）。
【００７２】
次に、文書構成抽出部１１ｃが、ユーザーにより作成または編集された文書から文書の構成に関する情報を抽出する（ステップＳ２２）。
【００７３】
次に、全ての章に対して、処理が完了したか否かを判断する（ステップＳ２３）。
【００７４】
全ての章に対しての処理が完了していない場合（ステップＳ２３のＮｏ）、次に、重要語抽出部１１ｄが、対象となる章から重要語の抽出を行う（ステップＳ２４）。
【００７５】
次に、重要語照合部１１ｆが、前ステップで抽出した重要語と同じ重要語を含む参考文書があるか否かを、重要語ＤＢ１７ａを参照して判断する（ステップＳ２５）。
【００７６】
同じ重要語を含む参考文書が無い場合（ステップＳ２５のＮｏ）、ステップＳ２３に戻り、次の章に対して同じ処理を繰り返す。
【００７７】
同じ重要語を含む参考文書がある場合（ステップＳ２５のＹｅｓ）、一致率判断部１１ｇが、ユーザーにより作成または編集された文書と、同じ重要語を含む参考文書との一致率を算出し、一致率がしきい値以上であるか否かを判断する（ステップＳ２６）。
【００７８】
一致率がしきい値未満である場合（ステップＳ２６のＮｏ）、ステップＳ２５に戻り、次の参考文書について処理を繰り返す。
【００７９】
一致率がしきい値以上である場合（ステップＳ２６のＹｅｓ）、同じ重要語を含む参考文書へのリンクを生成し、ユーザーにより作成または編集された文書に挿入する（ステップＳ２７）。挿入後は、ステップＳ２５に戻り次の参考文書について処理を継続する。
【００８０】
ステップＳ２３において、全ての章に対して、処理が完了していると判断された場合（ステップＳ２３のＹｅｓ）、記録管理部１１ｅが、ユーザーにより作成または編集された文書から抽出された重要語と文書情報を重要語ＤＢ１７ａに格納し、処理を終了する（ステップＳ２８）。
【００８１】
なお、ユーザーにより作成または編集された文書から抽出された重要語と文書情報も重要語ＤＢ１７ａに格納するのは、ユーザーにより作成または編集された文書も今後、参考文書としてユーザーに閲覧される可能性が高いからである。
【００８２】
以上、情報処理装置１０における処理のうち、ユーザーが文書の作成または編集を行ってからリンクを掲載するまでの詳細な処理の流れについて説明した。
【００８３】
［補足事項］
以上のように、本発明に係る情報処理装置１０は、ユーザーが参考に閲覧した参考文書の文書名と、前記参考文書のドキュメントアドレスと、前記参考文書から抽出した重要語との組み合わせが格納された重要語データベース１７ａと、ユーザーが作成または編集したユーザー文書から文書名およびドキュメントアドレスを取得する文書情報取得部１１ａと、前記ユーザー文書からテキスト情報を抽出するテキスト情報抽出部１１ｂと、前記テキスト情報から重要語を抽出する重要語抽出部１１ｄと、前記重要語データベース１７ａに格納された、前記参考文書の重要語と、前記ユーザー文書の重要語とを照合し、前記ユーザー文書に含まれる重要語と同じ重要語が含まれている参考文書が有るか否かを判断する重要語照合部１１ｆと、同じ重要語が含まれていると判断された参考文書の内容と、前記ユーザー文書の内容とを比較して一致率を算出し、前記一致率がしきい値以上である参考文書をリンクとして掲載すべき文書であると判断する一致率判断部１１ｇと、リンクとして掲載すべきと判断された参考文書のリンクを生成し、生成した前記リンクを前記ユーザー文書内に挿入するリンク生成部１１ｈとを備える。
【００８４】
そのため、参考文書として適切な文書をリンクとして貼ることが出来る。
【００８５】
その他、本発明は、上述の実施形態にのみ限定されるものではなく、本発明の要旨を逸脱しない範囲内において種々変更を加え得ることは勿論である。
【符号の説明】
【００８６】
１０  …  情報処理装置
１１  …  ＣＰＵ
１１ａ…  文書情報取得部
１１ｂ…  テキスト情報抽出部
１１ｃ…  文書構成抽出部
１１ｄ…  重要語抽出部
１１ｅ…  記録管理部
１１ｆ…  重要語照合部
１１ｇ…  一致率判断部
１１ｈ…  リンク生成部
１２  …  ＲＯＭ
１３  …  ＲＡＭ
１４  …  操作入力部
１５  …  通信部
１６  …  表示部
１７  …  記憶部
１７ａ…  重要語ＤＢ
１８  …  バス
【図１】
2018169848.tif 000003
【図２】
2018169848.tif 000004
【図３】
2018169848.tif 000005
【図４】
2018169848.tif 000006
【図５】
2018169848.tif 000007
【図６】
2018169848.tif 000008